(57)【要約】  【課題】  放送された番組のデータを記録するハードディスクの空き容量を確保する。  【解決手段】  放送されたデータをデジタルチューナ１で受信して、該データをハードディスク１５に記録するようにしてある記録装置に、データを保存する保存時間を該データと共に記録する記録再生部１４と、データがハードディスク１５に記録されてからの経過時間を計時する時計部１１とを備え、時計部１１が計時した経過時間がデータの保存時間を越えた場合、記録再生部１４が前記データを消去するように構成する。【選択図】        図１
2007042238.tif 000002
【特許請求の範囲】
【請求項１】
受信したデータを記録媒体に記録するようにしてある記録装置において、
データを保存する保存時間を記録する保存時間記録手段と、
前記データが記録媒体に記録されてからの経過時間を計時する計時手段と、
該計時手段が計時した経過時間が、前記保存時間記録手段が記録した保存時間を越えた場合、前記データを消去する消去手段と
を備えることを特徴とする記録装置。
【請求項２】
前記保存時間記録手段は、
データに対応付けて該データの保存時間を記録するようにしてある
ことを特徴とする請求項１に記載の記録装置。
【請求項３】
データの保存時間を受け付ける保存時間受付手段を備え、
前記保存時間記録手段は、
前記保存時間受付手段が受け付けた保存時間を記録する手段を備える
ことを特徴とする請求項１又は請求項２に記載の記録装置。
【請求項４】
放送されたデータの種類を判別する判別データを受信する受信手段と、
データの種類及び保存時間を対応付けたテーブルと、
該テーブル及び前記受信手段が受信した判別データに基づいて、データの保存時間を特定する特定手段と
を備え、
前記消去手段は、
前記計時手段が計時した経過時間が、前記特定手段が特定した保存時間を越えた場合、前記データを消去する手段を備える
ことを特徴とする請求項１乃至請求項３のいずれか一つに記載の記録装置。
【請求項５】
前記計時手段の計時結果及び保存時間に基づいて、データが記録媒体に記録されたときから保存時間が経過する所定時間前であるか否かを判定する判定手段と、
該判定手段が所定時間前であると判定した場合、データが消去される旨を警告する警告手段と
を備えることを特徴とする請求項１乃至請求項４のいずれか一つに記載の記録装置。
【請求項６】
前記消去手段がデータを消去した場合、消去したデータを特定する情報を記録する手段を備える
ことを特徴とする請求項１乃至請求項５のいずれか一つに記載の記録装置。
【請求項７】
記録された保存時間を変更する変更手段を備える
ことを特徴とする請求項１乃至請求項６のいずれか一つに記載の記録装置。
【請求項８】
記録媒体に記録されたデータを再生する再生手段と、
該再生手段により再生した回数を、再生されたデータ毎に記録する再生回数記録手段と
を備え、
前記変更手段は、
前記再生回数記録手段が記録した再生回数に応じて、保存時間を変更する手段を備える
ことを特徴とする請求項７に記載の記録装置。
【請求項９】
記録媒体の空き容量が所定容量以上であるか否かを判定する容量判定手段を備え、
前記変更手段は、
前記容量判定手段が否と判定した場合、記録された保存時間を短縮する手段を備える
ことを特徴とする請求項７又は請求項８に記載の記録装置。
【請求項１０】
受信したデータを、階層構造をなす一のディレクトリ下に記録する手段と、
記録媒体の空き容量が所定容量以上であるか否かを判定する容量判定手段と、
前記計時手段が計時した経過時間が、データの保存時間を超えた場合、該データを、前記一のディレクトリから階層構造をなす他のディレクトリ下に移動させる手段と
を備え、
前記消去手段は、
前記計時手段が計時した経過時間が保存時間を超え、前記容量判定手段が否と判定した場合、前記他のディレクトリ下のデータを消去するようにしてある
ことを特徴とする請求項１乃至請求項８のいずれか一つに記載の記録装置。
【発明の詳細な説明】
【技術分野】
【０００１】
本発明は、記録媒体に記録されてから一定時間が経過したデータを消去することにより、記録媒体の空き容量を増加させるようにしてある記録装置に関する。
【背景技術】
【０００２】
従来のハードディスクレコーダは、デジタルチューナで受信した番組のデータをハードディスクに記録し、記録したデータを再生する記録再生部を備えている。
また、ハードディスクレコーダは、予め記録開始時刻を受け付け、受け付けた記録開始時刻から記録再生部による番組のデータ記録を開始させる予約機能を有している。
【０００３】
このように構成されるハードディスクレコーダにおいては、予約機能を利用することにより、番組のデータを予約した記録開始時刻から自動的に記録することができる。
【特許文献１】特開２００４−８６２８８号公報
【発明の開示】
【発明が解決しようとする課題】
【０００４】
しかしながら、ハードディスクの空き容量が無くなった場合、予約された番組のデータが記録されないという問題があった。
【０００５】
本発明は斯かる事情に鑑みてなされたものであり、その目的は、記録媒体に記録されたデータを保存する保存時間を記録し、データを記録媒体に記録してから保存時間が経過した場合、該データを記録媒体から消去するように構成することにより、データの保存時間が経過する毎に、記録媒体の空き容量を増加させることができる記録装置を提供することにある。
【０００６】
また、本発明の他の目的は、記録媒体に記録されるデータ毎に保存時間を記録するように構成することにより、データ毎に異なる保存時間で該データを消去し、記録媒体の空き容量を増加させることができる記録装置を提供することにある。
【０００７】
更に、本発明の他の目的は、データを保存する保存時間を受け付けるように構成することにより、使用者が任意にデータの保存時間を設定することができる記録装置を提供することにある。
【０００８】
更にまた、本発明の他の目的は、データの種類と保存時間とを対応付けたテーブルを備え、該テーブルに基づいてデータの種類毎に保存時間を特定し、データを記録してから前記保存時間が経過した場合、前記データを消去するように構成することにより、データの種類毎に異なる保存時間でデータを消去して、記録媒体の空き容量を増加させることができる記録装置を提供することにある。
【０００９】
更にまた、本発明の他の目的は、データを記録してからの経過時間が保存時間経過の所定時間前である場合、データが消去される旨を警告するように構成することにより、データが不意に消去されることを防ぐことができる記録装置を提供することにある。
【００１０】
更にまた、本発明の他の目的は、データを消去した場合、消去されたデータを特定する情報を記録するように構成することにより、消去されたデータを前記情報から特定することができる記録装置を提供することにある。
【００１１】
更にまた、本発明の他の目的は、記録されたデータの保存時間を変更するように構成することにより、データの保存時間を適宜変更することができる記録装置を提供することにある。
【００１２】
更にまた、本発明の他の目的は、データ毎に該データの再生回数を記録し、データの再生回数に応じて保存時間を変更するように構成することにより、再生回数に応じた保存時間でデータを消去して、記録媒体の空き容量を増加させることができる記録装置を提供することにある。
【００１３】
更にまた、本発明の他の目的は、記録媒体の空き容量が所定容量未満の場合、データの保存時間を短縮するように構成することにより、記録媒体の空き容量が所定容量未満になった場合、記録媒体の空き容量をより速やかに増加させることができる記録装置を提供することにある。
【００１４】
更にまた、本発明の他の目的は、データの保存時間が経過した場合であっても、記録媒体の空き容量が所定容量以上の場合、データを消去せず、所定容量未満の場合、データを消去するように構成することにより、空き容量が所定容量以上である場合、保存時間が経過した後もデータの記録を維持することができる記録装置を提供することにある。
【課題を解決するための手段】
【００１５】
本発明に係る記録装置は、受信したデータを記録媒体に記録するようにしてある記録装置において、データを保存する保存時間を記録する保存時間記録手段と、前記データが記録媒体に記録されてからの経過時間を計時する計時手段と、該計時手段が計時した経過時間が、前記保存時間記録手段が記録した保存時間を越えた場合、前記データを消去する消去手段とを備えることを特徴とする。
【００１６】
本発明にあっては、データが記録媒体に記録されてからの経過時間が保存時間を越えた場合、消去手段が前記データを記録媒体から消去する。従って、記録媒体に記録されているデータは、保存時間が経過する毎に記録媒体から消去され、記録媒体の空き容量が増加する。
【００１７】
本発明に係る記録装置は、前記保存時間記録手段が、データに対応付けて該データの保存時間を記録するようにしてあることを特徴とする。
【００１８】
本発明にあっては、記録媒体に記録されるデータ毎に、該データの保存時間を記録し、該保存時間に基づいて、データを記録媒体から消去する。従って、データ毎に異なる保存時間の経過後に該データは、記録媒体から消去される。
【００１９】
本発明に係る記録装置は、データの保存時間を受け付ける保存時間受付手段を備え、前記保存時間記録手段は、前記保存時間受付手段が受け付けた保存時間を記録する手段を備えることを特徴とする。
【００２０】
本発明にあっては、保存時間受付手段がデータを保存する保存時間を受け付けて、受け付けた保存時間を保存時間記録手段が記録するため、データを保存する保存時間の長さを適宜設定し、記録媒体の空き容量の増加速度を調節することができる。
例えば、一定期間に記録されるデータの容量が大きい程、保存時間を短く設定することにより、記録媒体の空き容量を確保することができる。
【００２１】
本発明に係る記録装置は、放送されたデータの種類を判別する判別データを受信する受信手段と、データの種類及び保存時間を対応付けたテーブルと、該テーブル及び前記受信手段が受信した判別データに基づいて、データの保存時間を特定する特定手段とを備え、前記消去手段は、前記計時手段が計時した経過時間が、前記特定手段が特定した保存時間を越えた場合、前記データを消去する手段を備えることを特徴とする。
【００２２】
本発明にあっては、データの種類を判別するため判別データを受信手段が受信し、受信した判別データと、テーブルとに基づいて、前記データの保存時間を特定手段が特定する。
そして、消去手段は、特定手段が特定した保存時間に基づいて、データを記録媒体から消去する。
従って、データの種類毎に異なる保存時間でデータが消去され、記録媒体の空き容量が増加する。
【００２３】
本発明に係る記録装置は、前記計時手段の計時結果及び保存時間に基づいて、データが記録媒体に記録されたときから保存時間が経過する所定時間前であるか否かを判定する判定手段と、該判定手段が所定時間前であると判定した場合、データが消去される旨を警告する警告手段とを備えることを特徴とする。
【００２４】
本発明にあっては、保存時間経過の所定時間前である場合、データが消去される旨を、警告手段が警告することにより、所定時間以内にデータが消去されることを使用者に知らせることができる。
【００２５】
本発明に係る記録装置は、前記消去手段がデータを消去した場合、消去したデータを特定する情報を記録する手段を備えることを特徴とする。
【００２６】
本発明にあっては、データが記録媒体から消去された場合、消去されたデータを特定するための情報が記録される。従って、記録された前記情報から、消去手段により消去されたデータを特定することができる。
【００２７】
本発明に係る記録装置は、記録された保存時間を変更する変更手段を備えることを特徴とする。
【００２８】
本発明にあっては、変更手段によってデータの保存時間を適宜変更することができる。保存時間の長さが変更された場合、記録媒体の空き容量の増加率が変化する。
【００２９】
本発明に係る記録装置は、記録媒体に記録されたデータを再生する再生手段と、該再生手段により再生した回数を、再生されたデータ毎に記録する再生回数記録手段とを備え、前記変更手段は、前記再生回数記録手段が記録した再生回数に応じて、保存時間を変更する手段を備えることを特徴とする。
【００３０】
本発明にあっては、記録媒体に記録されたデータの再生回数に応じて、変更手段は、保存時間を変更する。従って、データの再生回数に応じて、記録媒体の空き容量の増加率が変化する。
例えば、再生回数が１回以上のデータを記録媒体が記録している場合、保存時間を短縮することで、記録媒体の空き容量の増加率を増加させることができる。
【００３１】
本発明に係る記録装置は、記録媒体の空き容量が所定容量以上であるか否かを判定する容量判定手段を備え、前記変更手段は、前記容量判定手段が否と判定した場合、記録された保存時間を短縮する手段を備えることを特徴とする。
【００３２】
本発明にあっては、記録媒体の空き容量が所定容量未満になった場合、記録媒体に記録されているデータの保存時間を短縮することにより、保存時間を短縮しない場合に比べて、より速やかにデータを記録媒体から消去し、記録媒体の空き容量を増加させることができる。
【００３３】
本発明に係る記録装置は、受信したデータを、階層構造をなす一のディレクトリ下に記録する手段と、記録媒体の空き容量が所定容量以上であるか否かを判定する容量判定手段と、前記計時手段が計時した経過時間が、データの保存時間を超えた場合、該データを、前記一のディレクトリから階層構造をなす他のディレクトリ下に移動させる手段とを備え、前記消去手段は、前記計時手段が計時した経過時間が保存時間を超え、前記容量判定手段が否と判定した場合、前記他のディレクトリ下のデータを消去するようにしてあることを特徴とする。
【００３４】
本発明にあっては、受信したデータは、一のディレクトリ下に記録され、データの保存時間が経過した場合、該データは、一のディレクトリから他のディレクトリ下へ移動する。そして、消去手段は、記録媒体の空き容量が所定容量未満である場合、保存時間が経過していて、他のディレクトリ下にあるデータを消去する。
従って、保存時間が経過した場合であっても、記録媒体の空き容量が所定容量以上であるとき、データは消去されない。
【発明の効果】
【００３５】
本発明によれば、データを保存する保存時間が経過した場合、該データを記録媒体から消去することにより、記録媒体の空き容量を増加させることができる。
【００３６】
本発明によれば、記録媒体に記録されたデータ毎に異なる保存時間で該データを消去し、記録媒体の空き容量を増加させることができる。
【００３７】
本発明によれば、使用者がデータの保存時間を任意に設定することができる。
【００３８】
本発明によれば、データの種類毎に異なる保存時間でデータを消去して、記録媒体の空き容量を増加させることができる。
【００３９】
本発明によれば、データが記録媒体から不意に消去されることを防ぐことができる。
【００４０】
本発明によれば、消去手段によって記録媒体から消去されたデータを特定することができる。
【００４１】
本発明によれば、記録媒体に記録されたデータの保存時間を適宜変更することができる。
【００４２】
本発明によれば、再生回数に応じた保存時間でデータを消去して、記録媒体の空き容量を増加させることができる。
【００４３】
本発明によれば、記録媒体の空き容量が所定容量未満になった場合、記録媒体の空き容量をより速やかに増加させることができる。
【００４４】
本発明によれば、空き容量が所定容量以上である場合、保存時間が経過した後もデータの記録を維持することができ、また、空き容量が所定容量未満である場合、保存時間が経過したデータを消去することができる。
【発明を実施するための最良の形態】
【００４５】
以下、本発明をその実施の形態を示す図面に基づいて詳述する。
（実施の形態１）
図１は、本発明の実施の形態１に係るハードディスクレコーダである。実施の形態１に係るハードディスクレコーダは、受信した番組のデータ及び該データを保存する保存時間を記録し、データの保存時間が経過した場合、前記データを消去するように構成されている。
【００４６】
図中１は、アンテナＡで受信したＲＦ信号を増幅し、選択されたチャンネルの信号を検波するデジタルチューナであり、デジタルチューナ１は、検波した信号をデジタルのデータにＡＤ変換し、ＡＤ変換したデータを復調部２に与える。検波するチャンネルは、制御部９から与えられる信号によって設定される。
【００４７】
デジタルチューナ１から出力されたデータは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で変調されていて、復調部２は、前記データを、ＭＰＥＧ２ＴＳ形式のトランスポートストリームに復調し、復調したトランスポートストリームをデマルチプレクサ３及び選択部１２に与える。
【００４８】
トランスポートストリームは、複数のＴＳパケットから構成されていて、複数のＴＳパケットから、ビデオストリーム及び音声ストリームが復元される。
【００４９】
デマルチプレクサ３は、トランスポートストリームからビデオ及び音声のＴＳパケットを選択し、選択したＴＳパケットからなるビデオストリーム及び音声ストリームを、夫々ビデオバッファ４ａ及び音声バッファ４ｂに与える。
また、デマルチプレクサ３は、トランスポートストリームに含まれる番組配列情報（ＳＩ：Ｓｅｒｖｉｃｅ  Ｉｎｆｏｒｍａｔｉｏｎ）を選択し、選択した番組配列情報をＥＰＧデコーダ５ｃに与える。番組配列情報は、放送される番組のタイトル、チャンネル、放送開始時刻、及び放送終了時刻、並びに映画、ドラマ等の番組の属するジャンル等の情報を有している。
【００５０】
ＥＰＧデコーダ５ｃは、デマルチプレクサ３から与えられた番組配列情報に基づいて、番組表の画像データを生成し、生成した番組表の画像データをＯＳＤ表示処理部６に与える。ＥＰＧデコーダ５ｃ及びＯＳＤ表示処理部６による番組表のＯＳＤ表示は、制御部９によって制御される。
【００５１】
ビデオバッファ４ａ及び音声バッファ４ｂは、デマルチプレクサ３から与えられたビデオストリーム及び音声ストリームを夫々所定のタイミングでビデオデコーダ５ａ及び音声デコーダ５ｂに出力する。
【００５２】
ビデオデコーダ５ａは、ビデオバッファ４ａから与えらたビデオストリームを、ＭＰＥＧ２形式の圧縮伸張方式に従って復調し、復調したビデオストリームをＯＳＤ表示処理部６に与える。
【００５３】
ＯＳＤ表示処理部６は、ビデオデコーダ５ａから出力されたビデオストリームの映像に、ＥＰＧデコーダ５ｃ又は制御部９から与えられたデータの画像を合成したビデオストリームを生成し、生成したビデオストリームを、所定のタイミングでビデオ信号出力部７ａに与える。
【００５４】
音声デコーダ５ｂは、音声バッファ４ｂから与えられた音声ストリームを、ＭＰＥＧ２ＡＡＣ（Ａｄｖａｎｃｅｄ  Ａｕｄｉｏ  Ｃｏｄｉｎｇ）形式の圧縮伸張方式に従って復調し、復調した音声ストリームを、所定のタイミングで音声信号出力部７ｂに与える。
【００５５】
ビデオ信号出力部７ａ及び音声信号出力部７ｂは、ＯＳＤ表示処理部６及び音声デコーダ５ｂから与えられたビデオストリーム及び音声ストリームを、アナログのビデオ信号及び音声信号にＤＡ変換し、ＤＡ変換したビデオ信号及び音声信号を外部の図示しない表示装置及びスピーカに出力する。
【００５６】
選択部１２は、復調部２から与えられたトランスポートストリームから、選択されたチャンネルのＴＳパケットを選択し、選択したＴＳパケットをバッファメモリ１３に与える。
一のチャンネルから得られるトランスポートストリームには、１乃至３番組のＴＳパケットが多重化されており、選択部１２は、多重化されたＴＳパケットの中から指定された番組のＴＳパケットを選択して、バッファメモリ１３に与える。
【００５７】
バッファメモリ１３は、選択部１２で選択されたＴＳパケットを記憶し、順次記録再生部１４に与える。
【００５８】
記録再生部１４は、制御部９から与えられる信号に応じて、バッファメモリ１３から与えられたＴＳパケットを所定のデータ形式に変調し、変調したデータをハードディスク１５に記録する。また、記録再生部１４は、ハードディスク１５に記録されたデータを読み出し、読み出したデータをＴＳパケットのデータに復調し、デマルチプレクサ３に与える。
【００５９】
制御部９には、データの記録、再生、消去に関する情報を表示する表示部１０、時計部１１（計時手段）が設けられている。
【００６０】
時計部１１は、タイマー機能を有しており、番組の記録開始日時が設定されていて、該記録開始日時を計時したとき、記録開始の信号を制御部９に与える。制御部９は、記録開始の信号を受けて、番組のデータ記録に関する処理を実行する。同様に、番組の記録終了日時が時計部１１に設定されていて、該記録終了日時を時計部１１が計時したとき、記録終了の信号を制御部９に与える。
【００６１】
また、制御部９には、フォトダイオードからなり、遠隔操作装置１７から送信される赤外光の信号を受信する受信部１６が設けられている。
更に、制御部９は、ハードディスク１５に記録した番組のデータを保存する保存時間の初期値として、７日を記憶している。
【００６２】
図２は、遠隔操作装置１７のブロック図である。遠隔操作装置１７は、略直方体の筐体を備え、番組表ボタン１７ｂ、十字キー１７ｃ、決定ボタン１７ｄ、キャンセルボタン１７ｅ、データを保存する保存時間を設定するための保存時間設定ボタン１７ｆ、タイトル表示ボタン１７ｇ、再生ボタン１７ｈ、停止ボタン１７ｉ等が筐体の正面に配設されている。筐体の前面側には、各ボタンが操作された場合、操作されたボタンの信号を赤外光で送信する発光ダイオードを備えた送信部１７ａが設けられている。
【００６３】
図３は、保存時間の受け付けに係る制御部９の処理手順を示すフローチャートである。
【００６４】
制御部９は、番組表ボタン１７ｂの信号を受信した場合、デマルチプレクサ３から出力される番組配列情報をＥＰＧデコーダ５ｃに取得させる（ステップＳ１）。
【００６５】
そして、制御部９は、番組配列情報に基づいて、番組表の画像をＥＰＧデコーダ５ｃに生成させ、ＯＳＤ表示処理部６に、番組表の画像を番組の映像にＯＳＤ表示させる（ステップＳ２）。
番組表は、番組のチャンネル毎に、放送される番組のタイトル、番組の放送開始日時、放送終了日時を表示した表である。
【００６６】
次いで、制御部９は、番組の録画予約、つまり番組のタイトル名、チャンネル、記録開始日時、記録終了日時を受け付ける（ステップＳ３）。
具体的には、制御部９は、ＯＳＤ表示処理部６に、番組を選択するためのカーソルを番組表上にＯＳＤ表示させ、十字キー１７ｃの信号を受信した場合、カーソルを上下左右に移動させる。カーソルが移動することで、チャンネル及び放送日時の異なる番組がカーソルで選択される。
そして、決定ボタン１７ｄの信号を受信した場合、制御部９は、カーソルで選択されている番組のタイトル名、チャンネル、記録開始日時、記録終了日時等を番組配列情報から特定し、特定したタイトル名等をＯＳＤ表示処理部６にＯＳＤ表示させる。
【００６７】
図４は、番組の予約時にＯＳＤ表示される画像の模式図である。決定ボタン１７ｄの信号を受信した場合、ＯＳＤ表示処理部６は、図４に示すように、タイトル名、チャンネル、記録開始日時、記録終了日時を、横方向に配列した一覧の画像をＯＳＤ表示する。
【００６８】
次いで、制御部９は、番組の録画予約に関する情報と共に、録画予約された番組のデータを保存する保存時間をＯＳＤ表示処理部６にＯＳＤ表示させ、保存時間を受け付ける（ステップＳ４）。初期状態においては、制御部９は、７日を保存時間としてＯＳＤ表示させる。
具体的には、制御部９は、十字キー１７ｃの信号を受信した場合、特に上下キーの信号を受信した場合、保存時間を増加又は減少させ、変更後の保存時間をＯＳＤ表示させる。保存時間は、無限大の時間まで任意に変更することができる。
【００６９】
そして、制御部９は、キャンセルボタン１７ｅの信号を受信したか否かを判定する（ステップＳ５）。キャンセルボタン１７ｅの信号を受信したと判定した場合（ステップＳ５：ＹＥＳ）、制御部９は、処理を終了する。
【００７０】
キャンセルボタン１７ｅの信号を受信していないと判定した場合（ステップＳ５：ＮＯ）、制御部９は、決定ボタン１７ｄの信号を受信したか否かを判定する（ステップＳ６）。
【００７１】
決定ボタン１７ｄの信号を受信したと判定した場合（ステップＳ６：ＹＥＳ）、制御部９は、タイトル名、チャンネル、記録開始日時、記録終了日時、及び設定された保存時間を記憶し（ステップＳ７）、処理を終了する。また、制御部９は、記録開始日時及び記録終了日時を時計部１１に設定する。
【００７２】
決定ボタン１７ｄの信号を受信していないと判定した場合（ステップＳ６：ＮＯ）、制御部９は、処理をステップＳ４に戻す。
【００７３】
図５は、番組のデータ記録に係る制御部９の処理手順を示すフローチャートである。
【００７４】
記録開始日時を計時した時計部１１から記録開始の信号を受けた場合、制御部９は、記録再生部１４に番組の記録開始日時、番組のタイトル名、チャンネルを記録再生部１４に記録させる（ステップＳ１１）。
【００７５】
また、制御部９は、記録する番組に対応する保存時間を記録再生部１４に記録させる（ステップＳ１２）。前記保存時間は、番組の録画予約時に受け付けた保存時間である。
【００７６】
次いで、制御部９は、予約された番組のチャンネルの選択を指示する制御信号をデジタルチューナ１、選択部１２に与え、選択された番組のデータをデジタルチューナ１に取得させる（ステップＳ１３）。
【００７７】
そして、制御部９は、取得し、各種データ処理された番組のデータを記録再生部１４に記録させる（ステップＳ１４）。
【００７８】
次いで、制御部９は、時計部１１から与えられる記録終了の信号を受信したか否かを判定する（ステップＳ１５）。
記録終了の信号を受信したと判定した場合（ステップＳ１５：ＹＥＳ）、制御部９は、記録再生部１４によるデータの記録を停止させ（ステップＳ１６）、処理を終える。
【００７９】
記録終了の信号を受信していないと判定した場合（ステップＳ１５：ＮＯ）、制御部９は、処理をステップＳ１３に戻す。
【００８０】
図６は、番組のデータ消去に係る制御部９の処理手順を示すフローチャートである。
制御部９は、時計部１１が計時している日時を取得する（ステップＳ２１）。
【００８１】
次いで、制御部９は、ハードディスク１５に記録されているデータの記録日時及び保存時間を記録再生部１４に読み出させる（ステップＳ２２）。
【００８２】
そして、制御部９は、時計部１１が計時している日時、データの記録日時、及び該データの保存時間に基づいて、データの記録日時から保存時間が経過しているか否かを判定する（ステップＳ２３）。
【００８３】
保存時間が経過していると判定した場合（ステップＳ２３：ＹＥＳ）、制御部９は、記録再生部１４に、保存時間が経過したデータをハードディスク１５から消去させる（ステップＳ２４）。
【００８４】
保存時間が経過していないと判定した場合（ステップＳ２３：ＮＯ）、制御部９は、処理を終了する。
【００８５】
制御部９は、上述のステップＳ２１乃至ステップＳ２４の処理を定期的に実行する。
【００８６】
図７は、保存時間の変更に係る制御部９の処理手順を示すフローチャートである。保存時間設定ボタン１７ｆの信号を制御部９が受信した場合、制御部９は、ハードディスク１５に記録されているデータのタイトル名、チャンネル、記録開始日時、記録終了日時及び保存時間を、記録再生部１４に読み出させる（ステップＳ３１）。
【００８７】
次いで、制御部９は、読み出したデータのタイトル、チャンネル、記録開始日時、記録終了日時、保存時間等を表示するタイトル一覧の画像を生成し、生成した画像をＯＳＤ表示処理部６にＯＳＤ表示させる（ステップＳ３２）。
【００８８】
図８は、ＯＳＤ表示されたタイトル一覧の画像を示す模式図である。タイトル一覧の行、つまり横方向には、タイトル、チャンネル、記録開始日時、記録終了日時、及び保存時間の項目が配列していて、タイトル一覧の列、つまり縦方向には、ハードディスク１５に記録されている各データが前記項目とともに配列している。
【００８９】
次いで、制御部９は、保存時間の変更を受け付ける（ステップＳ３３）。具体的には、制御部９は、変更する保存時間を選択するためのカーソルを、タイトル一覧上にＯＳＤ表示させ、十字キー１７ｃの信号、特に上下キーの信号を受信した場合、カーソルを上下に移動させる。
そして、制御部９は、十字キー１７ｃの左右キーの信号を受信した場合、カーソルで選択されているデータに対応する保存時間を増加又は減少させる。
使用者は、カーソルを上下に移動させることで、ハードディスク１５に記録されている各データのいずれか一つを選択し、十字キー１７ｃの左右キーを操作することにより、カーソルで選択されている保存時間を増減させることができる。
【００９０】
次いで、制御部９は、キャンセルボタン１７ｅの信号を受信したか否かを判定する（ステップＳ３４）。
キャンセルボタン１７ｅの信号を受信したと判定した場合（ステップＳ３４：ＹＥＳ）、制御部９は、処理を終える。
キャンセルボタン１７ｅの信号を受信していないと判定した場合（ステップＳ３４：ＮＯ）、制御部９は、決定ボタン１７ｄの信号を受信したか否かを判定する（ステップＳ３５）。
【００９１】
決定ボタン１７ｄの信号を受信していないと判定した場合（ステップＳ３５：ＮＯ）、制御部９は、処理をステップＳ３３に戻す。
【００９２】
決定ボタン１７ｄの信号を受信したと判定した場合（ステップＳ３５：ＹＥＳ）、制御部９は、変更された保存時間を記録再生部１４に記録させ（ステップＳ３６）、処理を終える。
【００９３】
実施の形態１に係るハードディスクレコーダにあっては、ハードディスク１５にデータを記録する際に該データの保存時間を記録し、保存時間が経過した場合、前記データはハードディスク１５から消去される。従って、ハードディスク１５の空き容量を増加させ、予約された番組を記録するための空き容量を確保することができる。
【００９４】
また、記録する番組毎に保存時間を使用者が設定することができるため、データ毎に異なる保存時間で該データを消去して、ハードディスク１５の空き容量を増加させることができる。
【００９５】
更に、一旦ハードディスク１５に記録したデータの保存時間を変更することができるため、保存時間を適宜変更して、ハードディスク１５の空き容量を確保することができる。例えば、一定期間に記録する予定のデータが増加した場合、保存時間を短縮することにより、ハードディスク１５の空き容量をより速やかに増加させることができ、ハードディスク１５の空き容量を確保することができる。
【００９６】
なお、実施の形態１にあっては、記録媒体としてハードディスクを採用しているが、データの書き換えが可能な他の記録媒体、例えばＤＶＤ―ＲＷ、ＤＶＤ＋ＲＷ、ＤＶＤ―ＲＡＭ、Ｂｌｕ―ｒａｙ  Ｄｉｓｃ、Ａｄｖａｎｃｅｄ  Ｏｐｔｉｃａｌ  Ｄｉｓｃ等を採用しても良い。
【００９７】
また、デジタルチューナを用いたハードディスクレコーダを説明したが、放送される番組のデータを受信する機能を有するのであれば、アナログチューナのような他の受信部に換えてハードディスクレコーダに適用しても良い。
【００９８】
更に、チューナを備えず、外部の表示装置が備えるチューナから出力されるデータを取得して、記録するように構成しても良い。表示装置が、デジタルチューナを備えている場合、ハードディスクレコーダは、実施の形態１と同様の効果を奏する。
更にまた、映像及び音声のデータに対して保存時間を記録し、保存時間が経過したデータを消去するように構成しているが、音声のみのデータ、いわゆるデータ放送に係るデータに対して、保存時間を記録し、保存時間が経過したデータを消去するように構成しても良い。
更にまた、実施の形態１にあっては、時計部が計時している時刻、データを記録した時の時刻及び保存時間に基づいて、保存時間の経過を判定しているが、データを記録したときからの経過時間を直接計時し、保存時間の経過を判定しても良い。
【００９９】
（実施の形態２）
実施の形態２に係るハードディスクレコーダは、実施の形態１と同様のデジタルチューナ１、復調部２、デマルチプレクサ３、ビデオバッファ４ａ、音声バッファ４ｂ、ビデオデコーダ５ａ、音声デコーダ５ｂ、ＯＳＤ表示処理部６、制御部９、表示部１０、時計部１１、記録再生部１４、受信部１６等を備えている。
【０１００】
実施の形態２に係る制御部９は、番組の属するジャンルと保存時間とを対応付けしたテーブルを記憶する記憶部を備えており、該テーブルに基づいてデータの保存時間を特定する。ジャンルには、例えば、映画、ドラマ、ニュース等があり、記憶部は、初期値として映画、ドラマ、ニュースに対して、夫々３０日、１４日、１日の保存時間を記憶している（図１１参照）。
【０１０１】
図９は、実施の形態２におけるデータ記録に係る制御部９の処理手順を示すフローチャートである。
実施の形態２に係る制御部９は、実施の形態１と同様に、記録開始日時を計時した時計部１１から記録開始の信号を受けた場合、記録再生部１４に番組の記録開始日時、番組のタイトル名、チャンネルを記録再生部１４に記録させる（ステップＳ４１）。
【０１０２】
次いで、制御部９は、記録するデータ、即ち番組の属するジャンルを示す判別データを、デマルチプレクサ３によって与えられる番組配列情報から取得し（ステップＳ４２）、取得した判別データを記録再生部１４に記録させる（ステップＳ４３）。
【０１０３】
次いで、制御部９は、図５に示したデータ記録及び停止に関するステップＳ１３，１４，１５，１６の処理と同様のステップＳ４４，４５，４６，４７の処理を実行する。
【０１０４】
図１０は、実施の形態２における保存時間の変更に係る制御部９の処理手順を示すフローチャートである。
保存時間設定ボタン１７ｆの信号を制御部９が受信した場合、制御部９は、保存時間の変更を受け付けるための受付画面をＯＳＤ表示処理部６にＯＳＤ表示させる（ステップＳ５１）。
【０１０５】
図１１は、保存時間の変更を受け付けるための受付画面の一例を示す模式図である。受付画面は、映画、ドラマ、ニュース等の各ジャンルと、各ジャンルに対応する保存時間との一覧で構成されている。
【０１０６】
次いで、制御部９は、ジャンル毎に保存時間の変更を受け付ける（ステップＳ５２）。
具体的には、制御部９は、ＯＳＤ表示処理部６に、各ジャンルに対応する保存時間を選択するためのカーソルをＯＳＤ表示させる。そして、十字キー１７ｃの上下キーの信号を受信した場合、制御部９は、カーソルを上下に移動させる。また、十字キー１７ｃの左右キーの信号を受信した場合、制御部９は、カーソルで選択されているジャンルに対応する保存時間を増加又は減少させる。
使用者は、十字キー１７ｃでカーソルを移動させることで、各ジャンルのいずれか一つを選択し、十字キー１７ｃ左右キーを操作することにより、カーソルで選択されているジャンルの保存時間を増減させることができる。
【０１０７】
次いで、制御部９は、キャンセルボタン１７ｅの信号を受信したか否かを判定する（ステップＳ５３）。
【０１０８】
キャンセルボタン１７ｅの信号を受信したと判定した場合（ステップＳ５３：ＹＥＳ）、制御部９は、処理を終える。
【０１０９】
キャンセルボタン１７ｅの信号を受信していないと判定した場合（ステップＳ５３：ＮＯ）、制御部９は、決定ボタン１７ｄの信号を受信したか否かを判定する（ステップＳ５４）。
【０１１０】
決定ボタン１７ｄの信号を受信したと判定した場合（ステップＳ５４：ＹＥＳ）、制御部９は、保存時間が変更されたテーブルを記憶する（ステップＳ５５）。
決定ボタン１７ｄの信号を受信していないと判定した場合（ステップＳ５４：ＮＯ）、制御部９は、処理をステップＳ５１に戻す。
【０１１１】
図１２は、実施の形態２における番組のデータ消去に係る制御部９の処理手順を示すフローチャートである。
【０１１２】
制御部９は、時計部１１が計時している日時を取得する（ステップＳ６１）。
そして、制御部９は、ハードディスク１５に記録されているデータの記録日時及び該データの判別データを記録再生部１４に読み出させる（ステップＳ６２）。
【０１１３】
次いで、制御部９は、判別データ及びテーブルに基づいて、保存時間を特定する（ステップＳ６３）。
例えば、制御部９は、図１１に示すようなテーブルを記憶している場合、データの判定データより、該データのジャンルがドラマであると判定したとき、３０日の保存時間を特定する。
【０１１４】
次いで、制御部９は、読み出したデータの記録日時、特定した保存時間、及び時計部１１が計時している日時に基づいて、データの記録日時から保存時間が経過する３日前であるか否かを判定する（ステップＳ６４）。
【０１１５】
保存時間経過の３日前でないと判定した場合（ステップＳ６４：ＮＯ）、制御部９は、処理を終える。
【０１１６】
保存時間経過の３日前であると判定した場合（ステップＳ６４：ＹＥＳ）、制御部９は、データが消去される旨の警告を表示部１０に表示させる（ステップＳ６５）。
【０１１７】
ステップＳ６５の処理を終えた場合、制御部９は、データの記録日時から保存時間が経過したか否かを判定する（ステップＳ６６）。
【０１１８】
保存時間が経過していないと判定した場合（ステップＳ６６：ＮＯ）、制御部９は、処理を終える。
【０１１９】
保存時間が経過していると判定した場合（ステップＳ６６：ＹＥＳ）、制御部９は、ハードディスク１５に記録されたデータを記録再生部１４に消去させる（ステップＳ６７）。
【０１２０】
次いで、制御部９は、消去されたデータのタイトル名を記録再生部１４に記録させる（ステップＳ６８）。
【０１２１】
制御部９は、上述のステップＳ６１乃至ステップＳ６８の処理を定期的に実行する。
【０１２２】
一方、消去済みのタイトルを表示させるための図示しないボタンが操作された場合、制御部９は、ステップＳ６８で記録したデータに基づいて、消去したデータのタイトル一覧をＯＳＤ表示処理部６にＯＳＤ表示させる処理を実行する。
【０１２３】
実施の形態２に係るハードディスクレコーダの他の構成、作用及び効果は、実施の形態１に係るハードディスクレコーダの構成、作用及び効果と同様であるため、対応する箇所には同様の符号を付してその詳細な説明を省略する。
【０１２４】
実施の形態２に係るハードディスクレコーダにあっては、番組の属するジャンル毎に異なる保存時間に基づいて、データをハードディスク１５から消去し、ハードディスク１５の空き容量を確保することができる。
例えば、毎週放送されるドラマのデータの保存時間は、映画のデータの保存時間よりも短く設定し、ニュースのデータの保存時間は、ドラマの保存時間よりも短く設定することにより、ジャンルに応じて、利用期限の過ぎたデータを優先的に消去してハードディスク１５の空き容量を確保することができる。
【０１２５】
また、使用者は、各ジャンルに対応する保存時間を適宜変更することができるため、使用者の所望する保存時間をジャンル毎に設定することができる。
【０１２６】
更に、データが消去される３日前に、データが消去される旨の警告が表示部１０に表示されるため、データが不意に消去されることを防ぐことができる。
【０１２７】
更に、データが消去された場合、消去されたデータの番組のタイトルがハードディスク１５に記録されるため、使用者は、ハードディスク１５から消去されたデータを確認することができる。
【０１２８】
（実施の形態３）
実施の形態３に係るハードディスクレコーダは、実施の形態１と同様のデジタルチューナ１、復調部２、デマルチプレクサ３、ビデオバッファ４ａ、音声バッファ４ｂ、ビデオデコーダ５ａ、音声デコーダ５ｂ、ＯＳＤ表示処理部６、制御部９、表示部１０、時計部１１、記録再生部１４、受信部１６等を備えている。
実施の形態３に係るハードディスクレコーダは、ハードディスク１５に記録した番組のデータの再生回数、及びハードディスク１５の空き容量に応じて、データの保存時間を変更するようにしてある。
【０１２９】
図１３は、実施の形態３におけるデータ記録に係る制御部９の処理手順を示すフローチャートである。
実施の形態３に係る制御部９は、記録開始日時を計時した時計部１１から記録開始の信号を受けた場合、番組の記録開始日時、番組のタイトル名、チャンネルを記録再生部１４に記録させる（ステップＳ７１）。
【０１３０】
次いで、制御部９は、再生回数が０であることを示すデータを記録再生部１４に記録させる（ステップＳ７２）。
【０１３１】
次いで、制御部９は、図５に示した保存時間及びデータの記録及び記録の停止に関するステップＳ１２，１３，１４，１５，１６の処理と同様のステップＳ７３，７４，７５，７６，７７の処理を実行する。
【０１３２】
図１４は、実施の形態３におけるデータの再生に係る制御部９の処理手順を示すフローチャートである。
【０１３３】
再生ボタン１７ｈの信号を受信した場合、制御部９は、時計部１１が計時している日時を取得する（ステップＳ８１）。
【０１３４】
そして、制御部９は、ハードディスク１５に記録されているデータの記録日時及び保存時間を記録再生部１４に読み出させる（ステップＳ８２）。
【０１３５】
次いで、制御部９は、時計部１１が計時している日時、データの記録日時、及び該データの保存時間に基づいて、データの記録日時から保存時間が経過する３日前であるか否かを判定する（ステップＳ８３）。
【０１３６】
保存時間経過の３日前であると判定した場合（ステップＳ８３：ＹＥＳ）、制御部９は、データが消去される旨を警告する画像をＯＳＤ表示処理部６にＯＳＤ表示させる（ステップＳ８４）。
【０１３７】
ステップＳ８４の処理を終えた場合、又は保存時間経過の３日前でないと判定した場合（ステップＳ８３：ＮＯ）、制御部９は、記録再生部１４にデータを読み出させる（ステップＳ８５）。
【０１３８】
そして、制御部９は、読み出したデータをビデオデコーダ５ａ及び音声デコーダ５ｂにてデコードし（ステップＳ８６）、ＤＡ変換したビデオ信号及び音声信号を外部へ出力させる（ステップＳ８７）。
【０１３９】
次いで、制御部９は、停止ボタン１７ｉの信号を受信したか否かを判定する（ステップＳ８８）。
【０１４０】
停止ボタン１７ｉの信号を受信したと判定した場合（ステップＳ８８：ＹＥＳ）、制御部９は、再生回数を示すデータの値を１加算して記録再生部１４に記録させ（ステップＳ８９）る。そして、制御部９は、記録再生部１４によるデータの再生を停止させ（ステップＳ９０）、処理を終える。
【０１４１】
記録終了の信号を受信していないと判定した場合（ステップＳ８８：ＮＯ）、制御部９は、処理をステップＳ８５に戻す。
【０１４２】
図１５は、実施の形態３における保存時間の変更に係る制御部９の処理手順を示すフローチャートである。
【０１４３】
制御部９は、ハードディスク１５に記録されたデータの記録日時、保存時間を記録再生部１４に読み出させる（ステップＳ９１）。
【０１４４】
次いで、制御部９は、ハードディスク１５に記録されているデータを管理するための管理情報を記録再生部１４に読み出させ、管理情報からハードディスク１５の空き容量及び全容量を取得し、ハードディスク１５の空き容量が全容量の１割以上であるか否かを判定する（ステップＳ９２）。
【０１４５】
空き容量が１割以上であると判定した場合（ステップＳ９２：ＹＥＳ）、制御部９は、処理を終える。
【０１４６】
空き容量が１割未満であると判定した場合（ステップＳ９２：ＮＯ）、制御部９は、記録再生部１４に、ハードディスク１５に記録されている各データの再生回数を示すデータを読み出させ、読み出された前記データに基づいて、ハードディスク１５に記録されているデータで、再生回数が１回以上のデータがあるか否かを判定する（ステップＳ９３）。
【０１４７】
再生回数が１回以上のデータがあると判定した場合（ステップＳ９３：ＹＥＳ）、制御部９は、再生回数が一回以上のデータの保存時間を短縮、例えば保存時間を半分に短縮し（ステップＳ９４）、処理を終える。短縮後の保存時間は、記録再生部１４によって記録される。
【０１４８】
再生回数が１回以上のデータがないと判定した場合（ステップＳ９３：ＮＯ）、制御部９は、処理を終える。
【０１４９】
制御部９は、上述のステップＳ９１乃至ステップＳ９４の処理を定期的に実行する。
【０１５０】
実施の形態３に係るハードディスクレコーダの他の構成、作用及び効果は、実施の形態１に係るハードディスクレコーダの構成、作用及び効果と同様であるため、対応する箇所には同様の符号を付してその詳細な説明を省略する。
【０１５１】
実施の形態３にあっては、ハードディスク１５の空き容量が全容量の１割未満で、再生回数が１回以上のデータの保存時間を短縮することにより、少なくとも一回は再生されたデータの寿命を短縮して、ハードディスク１５から該データを消去し、ハードディスク１５の空き容量を増加させることができる。 
【０１５２】
（実施の形態４）
実施の形態４に係るハードディスクレコーダは、実施の形態１と同様のデジタルチューナ１、復調部２、デマルチプレクサ３、ビデオバッファ４ａ、音声バッファ４ｂ、ビデオデコーダ５ａ、音声デコーダ５ｂ、ＯＳＤ表示処理部６、制御部９、表示部１０、時計部１１、記録再生部１４、受信部１６等を備えている。
実施の形態４に係るハードディスクレコーダは、受信した番組のデータを、階層構造をなす所定のディレクトリ下に記録し、保存時間が経過した番組のデータを仮消去済ディレクトリへ移動させ、ハードディスク１５の空き容量が所定容量未満になった場合、仮消去済ディレクトリ下のデータを消去する。
【０１５３】
図１６は、実施の形態４における番組のデータ消去に係る制御部９の処理手順を示すフローチャートである。
制御部９は、時計部１１が計時している日時を取得する（ステップＳ１０１）。そして、制御部９は、ハードディスク１５に記録されているデータの記録日時及び保存時間を記録再生部１４に読み出させる（ステップＳ１０２）。次いで、制御部９は、記録日時から保存時間が経過しているか否かを判定する（ステップＳ１０３）。
【０１５４】
保存時間が経過していると判定した場合（ステップＳ１０３：ＹＥＳ）、制御部９は、保存時間が経過しているデータを仮消去する（ステップＳ１０４）。
つまり、ハードディスク１５には、階層構造をなすディレクトリ下でデータを記録管理するための管理情報が記録されていて、制御部９は、保存時間が経過したデータを管理するための仮消去済フォルダ下で、保存時間が経過したデータを記録管理するように、管理情報を変更する。つまり、記録再生部１４は、所定のディレクトリ下に記録されたデータを、仮消去済ディレクトリへ移動させる。
【０１５５】
ステップＳ１０４の処理を終えた場合、又はステップＳ１０３で保存時間が経過していないと判定した場合（ステップＳ１０３：ＮＯ）、制御部９は、ハードディスク１５の空き容量が全容量の１割以上であるか否かを判定する（ステップＳ１０５）。
【０１５６】
ハードディスク１５の空き容量が１割以上であると判定した場合（ステップＳ１０５：ＹＥＳ）、制御部９は、処理を終える。
【０１５７】
ハードディスク１５の空き容量が１割未満であると判定した場合（ステップＳ１０５：ＮＯ）、制御部９は、仮消去されたデータ、即ち仮消去済フォルダ下のデータを、記録再生部１４に消去させ（ステップＳ１０６）、処理を終える。
【０１５８】
制御部９は、上述のステップＳ１０１乃至ステップＳ１０６の処理を定期的に実行する。
【０１５９】
図１７は、実施の形態４における仮消去されたデータの回復に係る制御部９の処理手順を示すフローチャートである。
仮消去されたデータの一覧を表示させる図示しない一覧表示ボタンが操作された場合、制御部９は、ハードディスク１５に記録されている管理情報に基づいて、仮消去されたデータ、つまり仮消去済フォルダ下に記録されているデータのタイトル名の一覧をＯＳＤ表示処理部６にＯＳＤ表示させる（ステップＳ１１１）。
つまり、制御部９は、管理情報に基づいて、仮消去済フォルダ下のデータのタイトル名を特定し、特定したタイトル名を上下方向に配列した一覧画像を生成する。そして、生成した一覧画像のデータをＯＳＤ表示処理部６に与えて、ＯＳＤ表示処理部６に一覧画像をＯＳＤ表示させる。
【０１６０】
次いで、制御部９は、仮消去されたデータの回復を受け付ける（ステップＳ１１２）。
つまり、制御部９は、回復するデータを選択するためのカーソルをＯＳＤ表示処理部６にＯＳＤ表示させ、十字キー１７ｃの上下キーの信号を受信した場合、カーソルを上下に移動させる。
【０１６１】
次いで、制御部９は、決定ボタン１７ｄの信号を受信したか否かを判定する（ステップＳ１１３）。
決定ボタン１７ｄの信号を受信したと判定した場合（ステップＳ１１３：ＹＥＳ）、制御部９は、カーソルで選択されているデータの保存時間を、時計部１１が計時している時間より後の日時に延長し、該データを所定のフォルダ下で管理されるように管理情報を記録再生部１４に変更させることにより、データを回復させる（ステップＳ１１４）。
つまり、記録再生部１４は、仮消去済フォルダ下のデータを、所定のフォルダ下へ移動させる。
【０１６２】
ステップＳ１１４の処理を終えた場合、又は決定ボタン１７ｄの信号を受信していないと判定した場合（ステップＳ１１３：ＮＯ）、制御部９は、キャンセルボタン１７ｅの信号を受信したか否かを判定する（ステップＳ１１５）。
【０１６３】
キャンセルボタン１７ｅの信号を受信したと判定した場合（ステップＳ１１５：ＹＥＳ）、制御部９は、処理を終える。
キャンセルボタン１７ｅの信号を受信していないと判定した場合（ステップＳ１１５：ＮＯ）、制御部９は、処理をステップＳ１１１に戻す。
【０１６４】
実施の形態４に係るハードディスクレコーダの他の構成、作用及び効果は、実施の形態１に係るハードディスクレコーダの構成、作用及び効果と同様であるため、対応する箇所には同様の符号を付してその詳細な説明を省略する。
【０１６５】
実施の形態４にあっては、保存時間が経過したデータを仮消去済フォルダへ移動し、ハードディスク１５の空き容量が全容量の１割未満になった場合、仮消去済フォルダ下のデータを消去するように構成することにより、使用者が必要とするデータが消去される可能性を低減することができる。
【図面の簡単な説明】
【０１６６】
【図１】本発明の実施の形態１に係るハードディスクレコーダである。
【図２】遠隔操作装置のブロック図である。
【図３】保存時間の受け付けに係る制御部の処理手順を示すフローチャートである。
【図４】番組の予約時にＯＳＤ表示される画像の模式図である。
【図５】番組のデータ記録に係る制御部の処理手順を示すフローチャートである。
【図６】番組のデータ消去に係る制御部の処理手順を示すフローチャートである。
【図７】保存時間の変更に係る制御部の処理手順を示すフローチャートである。
【図８】ＯＳＤ表示されたタイトル一覧の画像を示す模式図である。
【図９】実施の形態２におけるデータ記録に係る制御部の処理手順を示すフローチャートである。
【図１０】実施の形態２における保存時間の変更に係る制御部の処理手順を示すフローチャートである。
【図１１】保存時間の変更を受け付けるための受付画面の一例を示す模式図である。
【図１２】実施の形態２における番組のデータ消去に係る制御部の処理手順を示すフローチャートである。
【図１３】実施の形態３におけるデータ記録に係る制御部の処理手順を示すフローチャートである。
【図１４】実施の形態３におけるデータの再生に係る制御部の処理手順を示すフローチャートである。
【図１５】実施の形態３における保存時間の変更に係る制御部の処理手順を示すフローチャートである。
【図１６】実施の形態４における番組のデータ消去に係る制御部の処理手順を示すフローチャートである。
【図１７】実施の形態４における仮消去されたデータの回復に係る制御部の処理手順を示すフローチャートである。
【符号の説明】
【０１６７】
１  デジタルチューナ
２  復調部
３  デマルチプレクサ
４ａ  ビデオバッファ
４ｂ  音声バッファ
５ａ  ビデオデコーダ
５ｂ  音声デコーダ
５ｃ  ＥＰＧデコーダ
６  ＯＳＤ表示処理部
７ａ  ビデオ信号出力部
７ｂ  音声信号出力部
８  ＳＴＣ
９  制御部
１０  表示部
１１  時計部
１２  選択部
１３  バッファメモリ
１４  記録再生部
１５  ハードディスク
１６  受信部
１７  遠隔操作装置
１７ａ  送信部
１７ｂ  番組表ボタン
１７ｃ  十字キー
１７ｄ  決定ボタン
１７ｅ  キャンセルボタン
１７ｆ  保存時間設定ボタン
１７ｇ  タイトル表示ボタン
１７ｈ  再生ボタン
１７ｉ  停止ボタン
【図１】
2007042238.tif 000003
【図２】
2007042238.tif 000004
【図３】
2007042238.tif 000005
【図４】
2007042238.tif 000006
【図５】
2007042238.tif 000007
【図６】
2007042238.tif 000008
【図７】
2007042238.tif 000009
【図８】
2007042238.tif 000010
【図９】
2007042238.tif 000011
【図１０】
2007042238.tif 000012
【図１１】
2007042238.tif 000013
【図１２】
2007042238.tif 000014
【図１３】
2007042238.tif 000015
【図１４】
2007042238.tif 000016
【図１５】
2007042238.tif 000017
【図１６】
2007042238.tif 000018
【図１７】
2007042238.tif 000019